(57)【要約】【課題】油脂汚れ及び水溶性汚れの除去性能が良好で、安全性に優れ、衣類への残留溶剤臭が少なく、仕上がった衣類の風合いが良好で、オゾン層を破壊することなく、皮膚刺激性の少ないドライクリーニング用洗浄剤組成物及びこれを使用するドライクリーニング方法。【解決手段】（Ａ）シリコーン溶剤９５〜９９．９重量％（Ｂ）（Ａ）成分と相溶する多価アルコール変性シリコーン０．１〜５重量％からなるドライクリーニング用洗浄剤組成物及びこれを使用することを特徴とするドライクリーニング方法。【選択図】  なし【特許請求の範囲】
【請求項１】
（Ａ）シリコーン溶剤９５〜９９．９重量％（Ｂ）（Ａ）成分と相溶する多価アルコール変性シリコーン０．１〜５重量％からなるドライクリーニング用洗浄剤組成物。
【請求項２】
（Ｂ）成分が、グリセリン誘導体で変性された多価アルコール変性シリコーンあり、多価アルコール置換基の含有量が３〜３０重量％であることを特徴とする請求項１記載のドライクリーニング用洗浄剤組成物。
【請求項３】
（Ａ）成分のシリコーン溶剤がデカメチルシクロペンタシロキサン，オクタメチルトリシロキサン，デカメチルテトラシロキサン，ドデカメチルペンタシロキサン、トリス（トリメチルシロキシ）メチルシランおよびテトラキス（トリメチルシロキシ）シランからなる群の中の１種または２種以上の組合わせであることを特徴とする請求項１から３のいずれか１項に記載のドライクリーニング用洗浄剤組成物。
【請求項４】
請求項１から３のいずれか１項に記載の洗浄剤組成物を用いることを特徴とするドライクリーニング方法。
【発明の詳細な説明】
【０００１】
【発明の属する技術分野】
本発明は洗浄効果に優れ、オゾン層の破壊がなく、安全性に優れた新規のドライクリーニング用洗浄剤組成物及びこれを使用するドライクリーニング方法に関するものである。
【０００２】
【従来の技術】
衣類などを溶剤を使用して洗浄するドライクリーニングの洗浄方法において、フロンやパークロロエチレン、トリクロロエタンに代表される塩素系溶剤やパラフィン、ナフテンに代表される石油系溶剤が広く使われてきた。しかし、フロン及び塩素系溶剤は不燃性で、乾燥速度が大きいなどの優れた性質を有している反面、オゾン層破壊及び地下水汚染の原因物質となっており、地球環境保護の立場からその使用は厳しく制限される方向にある。
【０００３】
また、石油系溶剤は作業環境の観点から許容濃度が厳しく設定されており、溶剤中毒に対して充分な注意を払わなければならない。そのため代替用洗浄剤として揮発性シリコーンを用いた溶剤系が検討されている。
【０００４】
例えば、特開昭６１−１１９７６５号（特許文献１）には環状シロキサン単独またはこれと石油系炭化水素溶剤との混合物をクリーニング用溶剤として用いる記載があり、特開平６−３２７８８８号（特許文献２）には揮発性の直鎖状ポリシロキサンを用いてドライクリーニングを行なう方法について記載されている。しかしながら、シリコーンは体積抵抗率が大きいため静電気着火の誘因となることが指摘されている。そこで、特開２０００−２９０６８９号（特許文献３）において静電気着火を防止するために、シリコーンに溶解させる界面活性剤としてエーテルカルボン酸型アニオン界面活性剤を添加することを提案されている。この中で衣類に付着したモータ油等の油脂系の汚れ除去が良好なことが記載されているが、汗などの水溶性の汚れの除去には不十分であった。
【０００５】
また、ドライクリーニング用として通常使用されている界面活性剤はシリコーン溶媒には通常溶解せず、また、皮膚などへの刺激性が懸念され、よりマイルドでシリコーンに溶解能力のある界面活性剤が求められていた。そこで、これらの問題を解決するためにポリポキシアルキレン変性シリコーン界面活性剤の使用が特許３３３８４２９号、特許３２９４５９６号、特開２０００−３１３９００号特開２０００−３１９６９４号、特開２００２−１８００９１号（特許文献４〜８）に提案されている。しかしながらこれの界面活性剤を用いた洗浄では、洗浄性の向上は見られるものの、ドライクリーニング後の衣類の仕上がり具合については本発明者が提案した特開平２００２−１８００９１号（特許文献８）以外には記載がなく、さらなる改良が望まれていた。
【０００６】
【特許文献１】
特開昭６１−１１９７６５号公報
【特許文献２】
特開平６−３２７８８８号公報
【特許文献３】
特開２０００−２９０６８９号公報
【特許文献４】
特許第３３３８４２９号公報（国際公開００／０４２２１号）
【特許文献５】
特許第３２９４５９６号公報（国際公開００／０４２２２号）
【特許文献６】
特開２０００−３１３９００号公報
【特許文献７】
特開２０００−３１９６９４号公報
【特許文献８】
特開２００２−１８００９１号公報
【発明が解決しようとする課題】
【０００７】
本発明の課題は上記問題点を改善し、油脂汚れ及び水溶性汚れの除去性能が良好で、安全性に優れ、衣類への残留溶剤臭が少なく、仕上がった衣類の風合いが良好で、オゾン層を破壊することなく、皮膚刺激性の少ないドライクリーニング用洗浄剤組成物及びこれを使用するドライクリーニング方法を提供することにある。
【課題を解決するための手段】
【０００８】
本発明は（Ａ）シリコーン溶剤９５〜９９．９重量％と、（Ｂ）（Ａ）成分と相溶する多価アルコール変性シリコーン０．１〜５重量％からなるドライクリーニング用洗浄剤組成物及びこれを使用するドライクリーニング方法である。
【０００９】
【発明の実施の形態】
以下本発明について詳しく説明する。
（Ａ）シリコーン溶剤
本発明の（Ａ）成分としてのシリコーン溶剤は揮発性があるものであればよく、直鎖状オルガノポリシロキサン、環状オルガノポリシロキサン及び分岐状オルガノポリシロキサンが挙げられる。直鎖状オルガノポリシロキサンの例としては、ヘキサメチルジシロキサン、オクタメチルトリシロキサン，デカメチルテトラシロキサン，ドデカメチルペンタシロキサン、テトラデカメチルヘキサシロキサン、１，３−ジプロピルテトラメチルジシロキサン、３−プロピルヘプタメチルトリシロキサン、３−ヘキシルヘプタメチルトリシロキサンなどが挙げられる。
【００１０】
環状オルガノポリシロキサンの例としては、オクタメチルシクロテトラシロキサン、デカメチルシクロペンタシロキサン、ドデカメチルシクロヘキサシロキサン、プロピルヘプタメチルシクロテトラシロキサン、１，５−ジプロピルヘキサメチルシクロテトラシロキサンなどが挙げられる。また分岐状オルガノポリシロキサンの例としてはトリストリメチルシロキシエチルシラン、トリストリメチルシロキシプロピルシラン、トリストリメチルシロキシブチルシラン、トリストリメチルシロキシペンチルシラン、トリストリメチルシロキシヘキシルシラン、トリストリメチルシロキシへプチルシラン、トリストリメチルシロキシオクチルシラン、トリストリメチルシロキシノニルシラン、トリストリメチルシロキシデシルシラン、トリストリメチルシロキシドデシルシラン、トリストリメチルシロキシテトラデシルシラン、トリストリメチルシロキシヘキサデシルシラン、トリストリメチルシロキシオクタデシルシラン、テトラキス（トリメチルシロキシ）シランなどが挙げられる。
【００１１】
これらの中で、原料の入手のし易さ及び経済性の観点から、デカメチルシクロペンタシロキサン，オクタメチルトリシロキサン，デカメチルテトラシロキサン，ドデカメチルペンタシロキサン、トリス（トリメチルシロキシ）メチルシランおよびテトラキス（トリメチルシロキシ）シランが好ましい。
【００１２】
使用形態としては、これらの中の１種または２種以上の組み合わせで使用することができる。また必要に応じてエタノール、２−プロパノールなどのエタノール類、ブチルセロソルブ、ブチルカルビトールアセテートなどのエーテル類、ナフテン、イソパラフィンなどの石油系溶剤を併用しても良い。
【００１３】
（Ｂ）多価アルコール変性シリコーン
本発明における（Ｂ）成分としての多価アルコール変性シリコーンはグリセリン誘導体、糖誘導体等の多価アルコールを構造中に有するシリコーン化合物が必要であり、下記一般式（１）または（２）で表されるグリセリン誘導体変性シリコーンが特に好ましい。
Ｒ１ｐＧ１ｑＳｉＯ（４−ｐ−ｑ）／２                          （１）
［Ｒ１は脂肪族不飽和結合を有しない炭素数１〜１０の１価炭化水素基、Ｇ１は一般式−Ｒ３−Ｏ−Ｒ４で示されるグリセリン誘導体置換基、Ｒ３はエーテル結合及びエステル結合を含有してもよい炭素数２〜２０の２価炭化水素基、Ｒ４は水酸基を少なくとも２個以上有する多価アルコール置換基を表し、ｐ及びｑはそれぞれ０≦ｐ＜３．０、０＜ｑ＜３．０で、０＜ｐ＋ｑ≦３．０を満たす正数である。］
【００１４】
Ｒ１の具体例としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ヘキサデシル基、オクタデシル基、ベヘニル基等のアルキル基、シクロペンチル基、シクロヘキシル基等のシクロアルキル基、フェニル基、トリル基等のアリール基、ベンジル基、フェネチル基等のアラルキル基などを挙げることができる他、３−アミノプロピル基、３−［（２−アミノエチル）アミノ］プロピル基などのアミノ置換アルキル基、３−カルボキシプロピル基等のカルボキシ置換アルキル基などが挙げられる。また、トリフロロプロピル基やノナフロロオクチル基などのように一部の水素がハロゲンに置換された物も挙げられる。
【００１５】
Ｒ３の具体例としては−（ＣＨ２）２−、−（ＣＨ２）３−、−ＣＨ２ＣＨ（ＣＨ３）ＣＨ２−、−（ＣＨ２）４−、−（ＣＨ２）５−、−（ＣＨ２）６−、−（ＣＨ２）７−、−（ＣＨ２）８−、−（ＣＨ２）２−ＣＨ（ＣＨ２ＣＨ２ＣＨ３）−、−ＣＨ２−ＣＨ（ＣＨ２ＣＨ３）−、−（ＣＨ２）３−Ｏ−（ＣＨ２）２−、−（ＣＨ２）３−Ｏ−（ＣＨ２）２−Ｏ−（ＣＨ２）２−、−（ＣＨ２）３−Ｏ−ＣＨ２ＣＨ（ＣＨ３）−、−ＣＨ２−ＣＨ（ＣＨ３）−ＣＯＯ（ＣＨ２）２−などが挙げられるがこれらに限定されるものではない。
【００１６】
Ｇ１の具体例としては下記一般式で示される置換基が挙げられるが、これらに限定されるものではない。式中のｓおよびｔは１〜２０の整数である。また、下記置換基中の水酸基の一部がアルコキシ基あるいはエステル基で置換されていてもよい。
【００１７】
【化１】
2005029672.tif 000002
【００１８】
一般式（１）におけるグリセリン誘導体変性シリコーン中の多価アルコール置換基Ｒ４の含有量は３〜３０重量％が好ましく、更に、好ましくは５〜２０重量％である。多価アルコール置換基Ｒ４の含有量が３０重量％を超えると、グリセリン誘導体変性シリコーンのシリコーン溶剤への溶解性が乏しいものとなり、３重量％未満であると洗浄力が不足するおそれがある。
【００１９】
さらに、（Ｂ）成分としての多価アルコール変性シリコーンは下記一般式（２）で表されるオルガノポリシロキサンポリグリセリンブロック共重合体が用いられる。
【化２】
2005029672.tif 000003
【００２０】
式中のＲ２は脂肪族不飽和結合を有しない炭素数１〜３０の１価炭化水素基である。さらにＲ２は同一、又は異なっても良く、炭素数１〜３０のアルキル基、アリール基、アラルキル基、アミノ置換アルキル基、カルボキシル置換アルキル基（一部ハロゲンに置換されていてもよい）を表す。Ｑはエーテル結合及びエステル結合を含有しても良い炭素数３〜２０の二価有機基を表し、Ｇ２はモノグリセリンあるいはポリグリセリン残基である。ａは２以上１００以下の整数であり、ｂは２以上１００以下の整数である。
【００２１】
Ｒ２の具体例としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ヘキサデシル基、オクタデシル基、ベヘニル基、及び一部ハロゲンで置換されたアルキル基である。シクロペンチル基、シクロヘキシル基等のシクロアルキル基、フェニル基、トリル基等のアリール基、ベンジル基、フェネチル基等のアラルキル基などを挙げることができる他、３−アミノプロピル基、３−［（２−アミノエチル）アミノ］プロピル基などのアミノ置換アルキル基、３−カルボキシプロピル基等のカルボキシ置換アルキル基などが挙げられる。また、トリフロロプロピル基やノナフロロオクチル基などのように一部の水素がハロゲンに置換された物も挙げられる。
【００２２】
Ｑはエーテル結合及びエステル結合を含有しても良い炭素数３〜２０の二価有機基を表し、具体例としては、−（ＣＨ２）２−、−（ＣＨ２）３−、−ＣＨ２ＣＨ（ＣＨ３）ＣＨ２−、−（ＣＨ２）４−、−（ＣＨ２）５−、−（ＣＨ２）６−、−（ＣＨ２）７−、−（ＣＨ２）８−、−（ＣＨ２）２−ＣＨ（ＣＨ２ＣＨ２ＣＨ３）−、−ＣＨ２−ＣＨ（ＣＨ２ＣＨ３）−、−（ＣＨ２）３−Ｏ−（ＣＨ２）２−、−（ＣＨ２）３−Ｏ−（ＣＨ２）２−Ｏ−（ＣＨ２）２−、−（ＣＨ２）３−Ｏ−ＣＨ２ＣＨ（ＣＨ３）−、−ＣＨ２−ＣＨ（ＣＨ３）−ＣＯＯ（ＣＨ２）２−等を挙げることができる。
【００２３】
Ｇ２はモノグリセリンあるいはポリグリセリン残基であり、下記一般式（３）、（４）および（５）で表される有機基で代表される。（３）、（４）および（５）式中のｓ、ｔ、ｕおよびｖは１〜２０の整数であり、モノグリセリン、ジグリセリン、トリグリセリン、テトラグリセリン、オクタグリセリン、デカグリセリン、ヘキサデカグリセリン、オクタデカグリセリン等のポリグリセリン、更に、ポリグリセリンの水酸基の一部がアルコキシ基あるいはエステル基で置換されていても良い。
【００２４】
【化３】
2005029672.tif 000004
【００２５】
【化４】
2005029672.tif 000005
【００２６】
【化５】
2005029672.tif 000006
【００２７】
ｓ、ｔ、ｕおよびｖは１〜２０の整数であり、好ましくは１〜４の整数であり、さらに好ましくはｓ、ｔおよびｕ＋ｖの合計が２であるトリグリセリンである。
【００２８】
前記ａは２以上１００以下の整数であり、好ましくは１０〜６０である。またｂは０以上１００以下の整数である。ｃは２以上１００以下の整数であるが、繰り返し単位のｃが大きいと粘度が高くなり使用性が悪くなることから、好ましくは３〜３０である。
【００２９】
一般式（２）におけるグリセリン誘導体変性シリコーン中のモノグリセリンあるいはポリグリセリン残基Ｇ２の含有量は３〜３０重量％が好ましく、更に、好ましくは５〜２０重量％である。モノグリセリンあるいはポリグリセリン残基Ｇ２のの含有量が３０重量％を超えると、グリセリン誘導体変性シリコーンのシリコーン溶剤への溶解性が乏しいものとなり、３重量％未満であると洗浄力が不足するおそれがある。
【００３０】
本発明の一般式（１）の多価アルコール変性シリコーン化合物は、下記一般式（６）で示されるオルガノハイドロジェンポリシロキサンと、たとえば（ａ）または（ｂ）で表されるトリグリセリンアリルエーテル化合物、白金触媒又はロジウム触媒の存在下に付加反応させることにより容易に合成することができる。
Ｒ１ｐＨｑＳｉＯ（４−ｐ−ｑ）／２                          （６）
【００３１】
ＣＨ２＝ＣＨＣＨ２ＯＣＨ（ＣＨ２ＯＣＨ２ＣＨ（ＯＨ）ＣＨ２ＯＨ）２  （ａ）
ＣＨ２＝ＣＨＣＨ２ＯＣＨ２ＣＨ（ＯＨ）ＣＨ２Ｏ（ＣＨ２ＣＨ（ＯＨ）ＣＨ２Ｏ）３ＣＨ２ＣＨ＝ＣＨ２                                      （ｂ）
【００３２】
なお、触媒の使用量は触媒量とすることができるが、白金又はロジウム量で５０ｐｐｍ以下であることが好ましく特に２０ｐｐｍ以下であることが好ましい。上記付加反応は、必要に応じて有機溶剤中で行ってもよい。
【００３３】
有機溶剤としては、例えばメタノール、エタノール、２−プロパノール、ブタノール等の脂肪族アルコール、トルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素等が挙げられる。付加反応条件は特に限定されるものではないが、８０〜１２０℃で１〜１０時間反応させることが好ましい。
【００３４】
本発明の一般式（２）の多価アルコール変性シリコーン化合物は、例えば下記式（７）で示されるα、ω−オルガノハイドロジェンポリシロキサンと、下記式（ｉ）あるいは（ｉｉ）で表されるトリグリセリンジアリルエーテル化合物を、白金触媒又はロジウム触媒の存在下に付加反応させることにより容易に合成することができる。
【００３５】
【化６】
2005029672.tif 000007
【００３６】
【化７】
2005029672.tif 000008
【００３７】
【化８】
2005029672.tif 000009
【００３８】
（ｉ）あるいは（ｉｉ）で表されるトリグリセリンジアリルエーテル化合物はグリセリンにアルカリ触媒存在下、グリシドールを徐々に滴下することで得ることができる。反応温度は６０〜１２０℃に制御することが好ましく、反応後触媒を中和した後、低沸分を留去することによって得ることができる。
【００３９】
このような方法によって得られたトリグリセリンジアリルエーテルは式（ｉ）および（ｉｉ）構造の混合物と考えられ、代表的な物性値は粘度３３０ｍｍ２／ｓ  であり、水酸基価５２３ＫＯＨｍｇ／ｇ、不飽和度が６．１３ｍｅｑ／ｇの淡黄色液状物である。水酸基価および不飽和度はほぼ理論値（それぞれ５２５、６．２４）通りとなっており、この方法で得られるジアリルエーテル体は精度の良い２官能のグリセリン誘導体である。
【００４０】
さらに高重合度のジアリルエーテル体を得るためにはグリセリンの代わりにジグリセリンあるいはトリグリセリンを使用することで合成が可能である。
【００４１】
α、ω−オルガノハイドロジェンポリシロキサン（５）と上記一般式（ｉ）あるいは（ｉｉ）などで表されるポリグリセリンジアリルエーテル化合物との合計の混合割合は、α、ω−オルガノハイドロジェンポリシロキサンのＳｉＨ基とポリグリセリンジアリルエーテル化合物のＣＨ＝ＣＨ２基とのモル比で０．５≦α、ω−オルガノハイドロジェンポリシロキサン／ポリグリセリンジアリルエーテル化合物＜１．０、好ましくは０．８≦α、ω−オルガノハイドロジェンポリシロキサン／ポリグリセリンジアリルエーテル化合物＜１．０である。
【００４２】
上記付加反応は、白金触媒又はロジウム触媒の存在下で行なうことが好ましく、具体的には塩化白金酸、アルコール変性塩化白金酸、塩化白金酸−ビニルシロキサン錯体等の触媒が好適に使用される。
【００４３】
なお、触媒の使用量は触媒量とすることができるが、白金又はロジウム量で５０ｐｐｍ以下であることが好ましく特に２０ｐｐｍ以下であることが好ましい。上記付加反応は、必要に応じて有機溶剤中で行ってもよい。有機溶剤としては、例えばメタノール、エタノール、２−プロパノール、ブタノール等の脂肪族アルコール、トルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素等が挙げられる。付加反応条件は特に限定されるものではないが、還流下で１〜１０時間反応させることが好ましい。
【００４４】
本発明のドライクリーニング用洗浄剤組成物にはシリコーン溶剤、多価アルコール変性シリコーンの他に必要に応じて公知の界面活性剤を併用しても差し支えない。この場合、シリコーン溶剤との相溶性を考慮してシリコーン系界面活性剤が好ましい。シリコーン系界面活性剤としてはアニオン系シリコーン界面活性剤、ノニオン系シリコーン界面活性剤、カチオン系シリコーン界面活性剤及び両性シリコーン界面活性剤が挙げられる。
【００４５】
アニオン系シリコーン界面活性剤としてはカルボン酸塩変性シリコーン、スルホン酸塩変性シリコーン，硫酸エステル塩変性シリコーン及びリン酸エステル塩等が挙げられる。ノニオン系シリコーン界面活性剤としては、ポリオキシアルキレンアルキルエーテル変性シリコーン，ポリオキシアルキレン脂肪酸エステル変性シリコーンなどが挙げられる。カチオン系シリコーン界面活性剤の例としては４級アンモニウム変性シリコーンが挙げられ、両性シリコーン界面活性剤としてはベタイン変性シリコーンを挙げることができる。
【００４６】
本発明のドライクリーニング用洗浄剤組成物において、シリコーンと相溶するシリコーン系界面活性剤は０．１〜５重量％含有されることが必要である。０．１重量％未満では洗浄力が不足したり、被洗浄物にシミを生じる可能性がある。５重量％を超えて含有させると界面活性剤が被洗浄物に残存付着し、仕上り品の風合いが損なわれる可能性がある。
【００４７】
本発明のドライクリーニング用洗浄剤組成物は、溶剤に浸漬して衣料の洗浄を行いその後、脱液、乾燥する、従来の石油系炭化水素溶剤を使用するドライクリーニング方法に使用可能である。洗浄方法としては浸漬、洗浄の他、噴霧洗浄、超音波洗浄などが挙げられ、脱液方法としては遠心脱液、ローラーによる絞り脱液等が挙げられ、乾燥法としては風乾、減圧乾燥、温風乾燥及び加熱乾燥などが挙げられる。
【００４８】
本発明のドライクリーニング用洗浄剤組成物においては、ドライクリーニング後の衣類への溶剤臭の残存量を極力低減させるために、使用する多価アルコール変性シリコーンに無臭化処理を施した後、ドライクリーニング用洗浄剤組成物として使用してもよい。無臭化の方法は公知の手法で行えばよく、その方法は特願平２００１−００２５５８に記載されている。
【００４９】
【発明の効果】
【発明の効果】本発明のドライクリーニング用洗浄剤組成物及びこれを使用するドライクリーニング方法は汚れの除去性能が良好で、その組成物は安全性に優れ、仕上がった衣類の風合いが良好で、オゾン層を破壊することがなく、皮膚刺激性も少なく、衣類のドライクリーニング用洗浄剤組成物として好適である。
【００５０】
【実施例】
下記記載されているシリコーン及び多価アルコール変性シリコーンを下記表１に記載された割合で混合して得た各組成物について、相溶性を目視観察し，その結果を表１に示した。なお、相溶性は下記の基準で評価した。
【００５１】
○：相溶した、×：相溶しなかった。
【表１】
2005029672.tif 000010
【００５２】
多価アルコール変性シリコーン１
【化９】
2005029672.tif 000011
（多価アルコール置換基含有量  １６％）
【００５３】
多価アルコール変性シリコーン２
【化１０】
2005029672.tif 000012
（多価アルコール置換基含有量  １０％）
【００５４】
多価アルコール変性シリコーン３
【化１１】
2005029672.tif 000013
（多価アルコール置換基含有量  １７％）
多価アルコール変性シリコーン４
【化１２】
2005029672.tif 000014
（多価アルコール置換基含有量  ４０％）
【００５５】
ポリオキシエチレン変性シリコーン１
【化１３】
2005029672.tif 000015
【００５６】
シリコーンの記号はそれぞれ下記に示すとおりである。
Ｄ５：オクタメチルシクロペンタシロキサン
Ｍ２Ｄ：オクタメチルトリシロキサン
Ｍ２Ｄ２：デカメチルテトラシロキサン
Ｍ２Ｄ３：ドデカメチルペンタシロキサン
Ｍ３Ｔ：トリス（トリメチルシロキシ）メチルシラン
Ｍ４Ｑ：テトラキス（トリメチルシロキシ）シラン
【００５７】
（実施例２及び比較例２、洗浄性試験）
０．５ｇの食用油を付着させたポリエステル布または綿布（１５ｃｍ×１５ｃｍ）を表１の組成物１〜８の組成物及び比較例２の組成物の各１リットル中に浸し、錨型攪拌羽で、４０℃で１５分間，１００ｒｐｍで攪拌、洗浄した。洗浄後、遠心脱水機で脱水後、６０℃の乾燥機で１時間かけて乾燥した。乾燥後の被洗浄物の洗浄結果を表２に示した。洗浄効果の評価は目視で付着物（汚れ）の残存の有無を洗浄性として評価し、風合い及び溶剤臭（残臭）については官能性試験により評価した。なお、食用油を付着させた場合の洗浄試験結果を表２に示した。洗浄後の素材の変色および変質はいずれの揚合も観察されなかった。洗浄効果（目視）、風合い、残存溶剤臭の有無は下記の基準で評価した。
【００５８】
【表２】
2005029672.tif 000016